(57)【要約】【課題】  介護リフト用吊り具の畚は、布団の上から車椅子に乗降するだけでなく、布団の上で行うおむつ交換と、その前後に体を洗ってから体を拭く介護作業や、下着、肌着、洋服、和服の交換と着付け作業等にも使用可能な畚を提供する事を課題とした。【解決手段】  畚は、シートと吊りベルトを着脱可能に構成して布団から車椅子に乗降する介護作業しか使用できなかった介護リフト用吊り具の畚を、筋力の弱い人でも強い人でも布団の上で行うおむつ交換と、その前後に体を洗ってから拭く介護作業を、下着、肌着、洋服、和服の交換と着付け作業等のあらゆる介護作業には、シートから吊りベルトを外して体と布団の間に吊りベルトを配置して、その吊りベルトに体を乗せて介護リフトでそのまま吊り上げ、体の支持や上下動の移動を介護リフトと吊りベルトを組み合わせて動力化して、重労働をなくした。【選択図】図１２
2010188098.tif 000002
【特許請求の範囲】
【請求項１】
病人や身体不自由者の全身を乗せて布団の上で介護リフトの吊り下げ支持具に掛け止めて吊り下げられる介護リフト用吊り具の畚において、畚のシートに取りつけられる吊りベルトは、長さ調整可能で両端には吊り下げ支持具両フックに掛け止める環状部を設け、畚のシートに取りつける時にはシート端部に設けた雄型締結具に前記環状部を連結するか、または、前記環状部に雌型締結具を取りつけ、その雌型締結具の操作で吊りベルトが畚から取り外し可能に構成され、畚シートは病人や身体不自由者の障害により取り替えて使用するように、洋式便器に座って用を足す時シートを体に装着した姿で可能となる分離型シートと、足を曲げたり垂らすことができない人をそのまま乗せることができる１枚の長方形のシート型と、両足を揃えて伸ばしたり曲げることができない人を乗せる脚分離型シートの３種類のシートとで構成した畚のシートに、病人や身体不自由者の全身を乗せる介護作業と布団に寝ている病人や身体不自由者のあらゆる介護作業を布団の上で行うには、シートから外した吊りベルトを寝ている人の体を乗せたその吊りベルト両端の環状部を介護リフトの吊り下げ支持具に掛け止めて、介護リフトの揚重装置の操作で介護作業可能な高さで体が支持され、または、上下動作業に使用するために吊りベルトをシートから着脱可能に構成したことを特徴とする畚装置。
【請求項２】
吊りベルトに病人や身体不自由者の下半身や上半身や全身を乗せる作業には、布団のシーツと下半身と上半身が接触する間に片手を開いて差し込み、空間部を形成し、形成した空間部を通し具で吊りベルトを貫通させ、吊りベルトの中央位置に体が左右水平に乗せられる様に長さ調整して、吊りベルトを体の下に配置可能を特徴とする請求項１記載の畚装置
【発明の詳細な説明】
【技術分野】
【０００１】  この発明は、病人や身体不自由者の下半身や上半身や全身をベルト又は、シートに乗せて、介護作業可能な高さまで介護リフトで吊り上げ停止して、排泄介護作業と衣服の交換と着付けをする介護作業と、布団から車椅子への移動介護作業と、介護浴槽での入浴作業などのあらゆる介護作業が１つの介護リフト用吊り具である畚装置に関する。
【背景技術】
【０００２】  病人や身体不自由者にスリーリング又は、畚と言われる介護リフト用吊り具に乗せて、車椅子へ移動するためには上半身を抱え起こして、体を持ち上げるために大人１人の体重４５〜７０ｋｇを移動できる体力と腕力のある看護人を確保するのが、少子高齢化の現在大変で不可能に近いため、介護リフトを所有していても上手に利用されていない
【先行技術】
【０００３】  先行技術として特願２００５−８７５９５号が出願されていますが布団上では、体を洗ったり、拭いたりする作業や排泄作業や衣類の交換や着付け作業には、病人や身体不自由者の体を横に転がしたり、上半身を起伏するので介護される人には苦痛や圧迫感を与える欠点があり、他の名前で呼ばれている吊り具も同様の欠点がある。
【０００４】  従来の介護リフト用吊り具は布団の上で排泄介護作業とその前後に下着や肌着の着脱交換に股やお尻や背中を洗って拭く介護と、上着や和服や洋服の着脱と着付けする介護作業もを行う時に、身体不自由者の下半身や上半身だけを乗せて介護リフトで吊り上げ停止して両手で介護作業に使用可能に構成されていないから、介護人が片腕で又は両腕で持ち上げて下に支持する枕を入れてから介護作業する時、腕力のある手先の器用な友人を確保するのが無理に近い。この時、身体不自由者の体も腕の太さ位持ち上げるから、圧迫や苦痛が大きくなる欠点がある
【発明の概要】
【発明が解決しようとする課題】
【０００５】  前記の課題を解決するために請求項１では、病人や身体不自由者の全身を乗せて布団の上で介護リフトの吊り下げ支持具に掛け止めて吊り下げられる介護リフト用吊り具の畚において、畚の吊りベルトは長さ調整可能で両端には吊り下げ支持具両端フックに掛け止める環状部を設け、畚のシートに取り付ける時には、シート端部に設けた雌型締結具に前記環状部を連結するか、又は、前記環状部に雄型締結具を取りつけ、その雄型締結具の着脱で畚のシートから吊りベルトが着脱可能に構成された畚の吊りベルト１本で、布団の上では、おむつ交換と差し込み便器使用、その前後に股やお尻を洗ったり拭いたり、下着やズボン、スカートの着付けをする介護作業を、吊りベルト２本では前記の介護作業と介護浴槽での入浴作業、上半身や下半身を洗ったり拭いたり、肌着、上着、洋服、和服の着付けの介護作業や、この発明の畚のシートに全身を乗せる。従来から使用の介護リフト用吊り具に全身の乗降する介護作業を、吊りベルト３本でも布団の上から車椅子に乗降可能で、車椅子で便所や浴室や自動車の座席に乗降する介護作業可能となり、介護作業を行う時には寝ている人の体と布団の間を貫通して体を乗せた吊りベルト両端の環状部を介護リフトの吊り下げ支持具に掛け止めて、介護リフトの揚重装置で介護作業可能な高さまで吊り上げ停止する作業に使用可能な高さまで吊り上げ停止するので、看護人は両手での介護作業が容易にできる。
【課題を解決するための手段】
【０００６】  前記の課題を解決するために請求項１では、病人や身体不自由者の全身を乗せて布団の上で介護リフトの吊り下げ支持具に掛け止めて吊り下げられる介護リフト用吊り具の畚において、畚のシートに取りつけられる吊りベルトは、長さ調整可能で両端には吊り下げ支持具両フックに掛け止める環状部を設け、畚のシートに取りつける時にはシート端部に設けた雄型締結具に前記環状部を連結するか、または、前記環状部に雌型締結具を取りつけ、その雌型締結具の操作で吊りベルトが畚から取り外し可能に構成され、畚シートは病人や身体不自由者の障害により取り替えて使用するように、洋式便器に座って用を足す時シートを体に装着した姿で可能となる分離型シートと、足を曲げたり垂らすことができない人をそのまま乗せることができる１枚の長方形のシート型と、両足を揃えて伸ばしたり曲げることができない人を乗せる脚分離型シートの３種類のシートとで構成した畚のシートに、病人や身体不自由者の全身を乗せる介護作業と布団に寝ている病人や身体不自由者のあらゆる介護作業を布団の上で行うには、シートから外した吊りベルトを寝ている人の体を乗せたその吊りベルト両端の環状部を介護リフトの吊り下げ支持具に掛け止めて、介護リフトの揚重装置の操作で介護作業可能な高さで体が支持され、または、上下動作業に使用するために吊りベルトをシートから着脱可能に構成して布団の上のあらゆる介護作業に使用され、しかも看護人は両手で作業が容易にできて、病人や身体不自由者の体に圧迫や苦痛を与えることなく作業ができる。【０００７】  請求項２では、吊りベルトやシートを布団の上に寝ている人の体とシーツの間に配置するには、看護人の片手を開いて体とシーツの間にその手を差し込みその手の暑さの空間部に沿って、通し具をもう一方の片手で押し込み配置するので、看護人は、寝ている人の体を横に転がしたり、抱きかかえることなく、病人や身体不自由者の体に圧迫や苦痛がなく、吊りベルトやシートを配置できる。
【発明の効果】
【０００８】  以上、説明したようにこの発明の畚装置によれば、吊りベルトに病人や身体不自由者の体を乗せるには、片手を開いてその手を布団のシーツと下半身や上半身の間に差し込み、布団のシーツと下半身や上半身の間に通し具が吊りベルトを貫通できる空間部を形成し、その空間部をもう一方の片手で吊りベルトを嵌着した通し具で吊りベルトを貫通させ、貫通したベルトの中央位置に下半身や上半身の体が乗るように吊りベルトを配置して、次に片手を開いて体の下に差し込んでいた手を引き抜くだけで、下半身や上半身や全身の重さでベルトに乗るので病人や身体不自由者の体を布団の上で行う、腰やお尻や全身を持ち上げて行う介護作業では看護人は両手と両腕で布団のシーツと体の間に手を入れて引き抜くだけの負担で済むという優れた効果がある。
【実施例】
【０００９】  図１は、第一発明の実施例の一例を分解斜視で示したもので、図面で説明する。
この発明は介護リフト１と吊り上げ支持具２と吊り具である畚３で構成されて、介護リフト１と吊り下げ支持具２は多くのメーカーからいろいろな形式のものが販売されているが、どのメーカーの製品でも使用可能で吊り具の畚３を介護リフト１に取り付けた揚重装置１０の作業に連動して上下する吊り上げ支持具２が停止する動力を介護作業の時に、おむつ交換や衣服の交換や車椅子への移動の下半身や上半身や全身を持ち上げたり、抱きかかえる重労働に使用できるように吊り具の畚３を工夫したもので、畚３はシートを一体化したものと分割したものとが使用可能に構成されているが、図１はシートを股下４２から腰下部３６までを覆う座面シート４と背中３９から頭４４まで覆う背もたれシート５に分割されて、座面シート４には座中穴１１が形成され、その前端に開き口１２が雌型締結具１３を雄型締結具１４に嵌着し閉止され、洋式便器に座って用を足す時は、嵌着したメス型締結具１３から雄型締結具１４を外して用を足す事が可能となるが、用を足す時以外は座面シート４前端は閉止して使用される。座面シート４と背もたれシート５は連接ベルト８，８の長さ調整により座高の高い人も低い人も使用可能で、連接ベルト８，８は両端の雌型締結具１７で着脱可能に連接される。座面シート４と背もたれシート５の両側前後にそれぞれ吊りベルト６，６、７，７、両端の雌型締結具１７で着脱可能に取り付けられて、その吊りベルト６，６、７，７は、介護リフト１の吊り上げ支持具２に掛け止めて、布団の上で行うおむつ交換とその前後の下着の着脱と、下半身を洗って拭く介護作業と、他の排泄介護作業と上半身を吊り上げて肌着の着脱と、衣服の交換と着付けの介護作業と、布団から車椅子への移動介護作業と、介護浴槽への入浴介護作業が使用可能に形成されて、筋力の弱い人の移動介護作業と入浴介護作業には座面シート４と背もたれシート５を連接ベルト８で連接され吊りベルト６、６、７，７両端がシート４，５に取り付けられて移動介護作業と入浴介護作業に使用されるが全ての介護作業では、下半身や上半身や全身の重さでベルト６、６、７，７の上に乗せてから吊り上げ支持具２のフック２０、２１にベルト両端の雌型締結具１７の環状部２３、２４が掛け止めて揚重装置１０の作動で体をベルトで吊り上げ停止してから、看護人は両手を使用して介護作業が行える。【００１０】  シート４、５の素材には厚手の生地、プラスチックシート、ポリエステルのメッシュシートがあり、吊りベルト６，６，７，７、連結ベルト８，８、の素材には厚手の生地、ポリエステルベルトがあり、また、その他の素材でも構わない。大人１人の重さ４５〜１００ｋｇを安全に支持する製品であればよい。シート４，５の裏面に取り付けられている雄型締結具１６も吊りベルト６，６，７，７の雌型締結具１７と調整具２５は自動車のシートベルトの着脱に使用される製品と同様のものを使用できる。【００１１】  シート４、５は分割したシートでシート３３は一体化したもので病人や身体不自由者の怪我や障害に合わせて長方形で形成され、足を垂らして移動できない人に使用され、シート４７は片足を垂らしてもう一方の片足を伸ばしても使用できる長方形の足乗せ部分が分割されている脚分離式でも��のシートを吊り下げる吊りベルトが着脱可能に構成されて布団の上での介護作業の、布団の上で差し込み便器使用とおむつ交換とその前後の下半身を洗ってから、下半身を拭く介護作業、下着や肌着の交換や洋服や和服の交換や着付けの介護作業、布団から車椅子で移動する又は車椅子で移動して浴室や便所や車の座席への入浴、排泄、乗車の開度作業と介護浴槽使用に布団で入浴介護作業に吊りベルトを使用可能な形状に形成し、筋力の弱い人にはシート４、５かシート３３か又はシート４７を使用して吊りベルトで吊り上げ移動可能に構成したものであれば形状はこだわらない。【００１２】  介護リフトと揚重装置と吊り下げ支持具においては、アームを有する介護リフトでアーム先端に吊り下げ支持具を取り付けて、油圧シリンダー又は、電動シリンダーを用いて介護リフトのアームを起伏作業させる動力で、病人や身体不自由者が乗った吊り具である畚を上下動移動と床上や室内の移動を行う介護リフトと、介護リフトの揚重装置は、油圧シリンダーや電動シリンダーの伸縮が揚重装置となるものや、アーム先端に電動モーター又はレバーブロックの軸の回転に連動して吊り下げ支持具が上下動する動力で病人や身体不自由者が乗った吊り具である畚を、上下動移動と車椅子への乗降する移動を行う介護リフトと、天井に固定したレールに沿って電動モーターの回転に連動して室内を水平方向に移動する動力と、電動モーターの回転に連動する動力の使用位置を変えて、電動モーターの回転に連動して吊り下げ支持具が巻き上げと巻き下げする動力で室内の前後を移動するフレームとフレーム上端のレールに沿って電動モーターの回転に連動してフレーム上端のレールに沿って左右方向に移動する動力と、電動モーターの回転に連動する動力の使用位置を変えて電動モーターの回転に連動して吊り下げ支持具が巻き上げと巻き下げする動力で病人や身体不自由者の乗った畚を上下動移動と布団から車椅子への乗降する移動を行う介護リフトなどの沢山種類があるが、全ての介護リフトと揚重装置と吊り下げ支持具を組み合わせた動力に使用できるから動力の実施例と使用方法はメーカーの説明書で行うから略する。【００１３】  図４は吊りベルト６、６、７、７の実施例の一例で、図は吊りベルトの斜視図の図面で説明する。
吊りベルト６、６、７、７は長さと素材と調整具２５と雌型締結具１７が同じものが使用され、雌型締結具１７の取り付け部分の環状部２３は、通し具２８の先端２９が嵌着して使用大きさで、さらに吊り下げ支持具２両端フック２０、２１に掛け止める大きさの形状に形成され、もう１つの環状部２４の大きさは調整具２５の移動で大きさが変化するが吊り下げ支持具２両端フック２０、２１に掛け止めされる吊りベルト６、６、７、７は、介護作業では病人や身体不自由者の腰下部３６や肩甲骨３８やお尻３７を又は全身を乗せて布団の上では下半身や上半身を洗ってから拭く作業、おむつ交換作業、差し込み便器使用の作業、下着や肌着の交換作業、洋服、和服の交換と着付け作業、スカートやズホンの着付け作業、布団から車椅子への移動と浴室の浴槽での入浴作業に便所の便器に座っての排泄作業に車の座席への移動作業と持ち運び可能な介護浴槽を使用して布団の上、又は寝ている部屋での入浴作業にも使用され、筋力の弱い人の介護作業では分割したシートや一体シートが吊りベルトに連結して介護作業が行える。吊りベルト６、６、７、７連結ベルト８、８に締結具（雄型１６、雌型１７）を使用しない時には、シート４、５、３３、４７裏面には楕円形のフックをミシン等で縫い付けて取り付け楕円形のフックの開閉部にベルトを押し付けて、ベルトの環状部２３、２４を楕円形フックに嵌着され、外す時には開閉部を押し倒してからもう一方の手でベルトを外す手段でも良い。【００１４】  図５は連結ベルト８，８は、吊りベルト６、６、７、７に使用された雌型締結具１７が両端に取り付けられて長さ調整は調整具２５の移動で行われて、長さ調整は病人や身体不自由者の上半身の座高に合わせるために行われるが、図３の脚分離型シートの前端両側にも使用される傾斜図であって素材はすべて吊りベルト６、６、７、７と同じもので形成される。【００１５】  図６は雄型締結具１６と雌型締結具の傾斜図で図面で説明する。雄型締結具１６は座面シート４と背もたれシート５又は一体シート３３、４７の裏面にミシンなどで縫い付けられて、１８の取り付け部がシート裏面に取り付けられる。先端１５、１５は外側２２、２２が球面に形成され、雌型締結具１７は吊りベルト６、６、７、７連結ベルト８，８が取り付け部１９を貫通した吊りベルトで移動可能に環状部２４に連結され、もう一方の雌型締結具１７の取り付け部１９を吊りベルトが貫通して環状部２３を形成して取り付けられる。【００１６】  図７座面シートの実施例の一例で座中穴１１前端の開き口１２を閉止した平面図で説明する。開き口１２の左右には雌型締結具１３と雄型締結具１４が取り付けられ、開き口１２の開閉は１３と１４を嵌着で閉止され、１３と１４を外すと開き口１２が開止される。座中穴１１は、開止した時には洋式便器の便座に重ねて使用するので、便座の形状に形成されて便所で用を足す時に介護リフト１の揚重装置１０を作動させて、病人や身体不自由者の体の下半身を降ろす時は便座の後部と座中穴１１の後部の位置を合うように便座の上に降ろして乗せることで、両足を開いて次に開き口１２を開止する作業だけで用を足すことも可能となり、用を足し終わると両足を閉じてから開き口１２を閉止して介護リフトで移動可能となる。座面シート４の裏面には雄型締結具１６が両側前後にミシンなどで縫い付けられて、開き口の締結具１３も同じものが使用されている。さらに連結ベルト８、８の連結用の締結具１６はさらに連結ベルト８、８の連結用雄型締結具１６は座面シート４裏面に取り付けられている。【００１７】  図８は、通し具２８の実施例の一例で通し具２８は先端３３を水平方向に曲げて吊りベルト６、６、７、７の環状部２３、２４に差し込み嵌着して吊りベルトを体の下に配置する時に、体の下に差し込んだ手に沿って形成された空間部３２を貫通させる時に取っ手３１をつかんで押し込み使用するが、支柱の３０の長さは体の幅より広く両腕を乗せる長さで形成されて、素材はステンレスや竹や木材でもいろいろ使用される。又はプラスチックでも良い。【００１８】  図９は背もたれシート５の実施例の一例で、正面から見た平面図で説明する。背もたれシート５は両側前後と前端裏面ともに吊りベルト７、７と連接ベルト８、８の連結用雄型締結具１６が裏面にそれぞれ取り付けられて、病人や身体不自由者の座高の高さに合わせるため連結ベルト８、８の長さ調整をして後頭部４４から背中３９まで覆い身長の低い人から身長の高い人にでも使用が可能である。【００１９】  図２は座面シート４と背もたれシート５を一体化したシートの一例の平面図で筋力の弱い人や足を垂らして移動できない人を布団から車椅子やストレッチャーなどに移動する時に使用するもので、シート３３には病人や身体不自由者の足の先端から頭までの体を乗せて両側に設けた雄型締結具１６は座部で背もたれ部にそれぞれシート３３の裏面に取り付けられて、吊りベルト６、６、７、７が嵌着され吊りベルトの長さ調整により移動する人は座った姿や寝ている姿に変化して畚として使用される。【００２０】  図３は、足分離式座面シート４と背もたれシート５を一体化したシートの実施例の一例を平面図で説明する。病気や怪我などで両足を一緒に垂らしたり伸ばしたりすることができない人を布団から車椅子へ移動するときに使用されるもので、シート４７、左足の先端４６と右足先端４８付近のふくらはぎ４５下から後頭部（頭）４４までを下から覆い介護される人の身長に合わせるには左足４６右足４８のシート部分を折り曲げ重ねて足を吊り下げ可能となるように構成した吊り具です。吊り上げる時には左右両足の雄型締結具１６、１６にそれぞれ連接ベルト８、８を連結し、その時形成された環状部を吊りベルト６，６を左右それぞれ連結させ、左右の足が片方を伸ばし、又は垂らしてもう一方の足を高くした状態で移動可能となる【００２１】  図１０は寝たきりに近い病人や身体不自由者が布団の上で排泄介護作業を行うのに吊りベルト６一本を腰下部６と布団のシーツ４３の間に配置して、吊りベルト６の中央位置に介護される人の腰下部３６を乗せてから、吊りベルト６両端環状部２３、２４を介護リフト１に掛けて揚重装置１０に垂れ下がっている吊り下げ支持具２の両端フック２０、２１に掛け止めて揚重装置１０の作動で両手を使用して介護作業可能で介護される人の体に圧迫と苦痛の少ない高さの位置で停止した姿を左側正面から見た側面図で、図１１は吊りベルト６一本を腰下部３６に配置��て、その吊りベルト６に腰下部３６を乗せた平面図で図１０で介護作業の実施例の一例を説明する。吊りベルト６を腰下部３６に配置するには片手を開いて開いたその手をお尻３７か背中３９と布団のシーツ４３の間に差し込み、空間部３２を形成し、形成された空間部３２に吊りベルト６の端部の環状部２３に通し具２８先端２９を嵌着して取っ手３１をつかんで吊りベルト６先端を貫通させてから通し具２８を外して吊りベルト６をそのままにし通し具２８を引き抜き、吊りベルト６の中央位置に腰下部が重なるようにして、それまで差し込んでいた手を引き抜き腰下部３６の重さで吊りベルト６中央にそのまま腰下部が乗せられる。
腰下部３６を吊りベルト６に乗せて吊り上げ停止してから、実施可能な布団の上では、おむつ交換と差し込み便器使用の介護作業と、その前後に下着の交換と着付けの介護作業と下半身を洗ってから拭く介護作業と、ズボン又はスカートの着付け介護作業が可能で、両手で作業を行うことが可能なため素早くできる。
介護作業を終えて、吊りベルト６を腰下部３６から外すには、腰下部３６を乗せたさぎょうの逆手順で行えるその手順はお尻３７から背中３９と布団のシーツ４３の間に開いた手を差し込み吊りベルト６と腰下部３６の間に空間部３２ができたら、素早くもう一方の片手で吊りベルト６を引き抜き、介護作業をすべて終える。看護人で体力と腕力のある人は、介護される人を横に転がして、又は、抱きかかえて横に移動してから横向きの姿にして介護作業を行っても良い。【００２２】  図１１は、吊りベルト６一本を腰下部３６に配置した平面図で、図は片手を開いて差し込む位置は、お尻３７または肩甲骨３８より下の背中３９の横から腰下部３６の湾曲部分に向かって手を差し込み、形成された湾曲部分の空間部１２に吊りベルト６を通し具２８の先端２９に嵌着して、もう一方の片手で通し具２８を押して貫通させてから通し具２８を吊りベルト６から外して引きぬき、吊りベルト６の中央位置に腰下部３６が乗るように配置してから差し込んだ手を引きぬいた平面図です。【００２３】  図１２は、身体不自由者が吊りベルト６、６（又は７，７でも良い）２本に腰下部３６と背中３９の肩甲骨３８付近を乗せて吊りベルト６，６の両端環状部２３，２４を揚重装置１０に吊り下げられた吊り下げ支持具２両端フック２０、２１に掛け止めて、介護リフト１の揚重装置１０を作動させ、吊り下げ支持具２が連動して介護作業可能な高さまで、腰下部３６と背中３９の肩甲骨３８（上半身）を吊り上げ停止して、空間部３２を形成した姿を左から見た側面図で、図１３はその時上から見た図で、図１２で実施例の一例を説明する。吊りベルト６，６２本を腰下部３６と肩甲骨３８の下に配置するには、布団のシーツ４３と身体不自由者の背中３９の間を左側から片手を開いて、腰下部３６と布団シーツ４３の間に又は肩甲骨３８と布団のシーツ４３の間に差し込み、手を開いた手の厚さ（５ｃｍ位）に形成された空間部３２とその手に沿って予め吊りベルト６環状部２３に嵌着した通し具２３の取っ手３１をもう一方の片手でつかんで吊りベルト６を身体不自由者の左側から空間部２を右側に貫通させてから通し具を引き抜き当該吊りベルト６，６の中央位置にそれぞれ図１３で示したように吊りベルト６，６を布団のシーツ４３の上に配置してから、両手で腰下部３６の上空に垂らしている吊り下げ支持具２、両端フック２０，２１に吊りベルト６，６の環状部２３，２４をそれぞれ掛け止めて、介護リフトの揚重装置１０を作動させて、腰下部３６と背中３９の肩甲骨３８（上半身）と、お尻３７の空間部３２が両手で下着の着脱や肌着や上着の着脱やおむつ交換や差し込み便器の使用、或いは両足４１の股を開閉して、お尻や局部や背中３９や方まで洗ったり拭いたりする、または、従来から使用している介護リフト用吊り具に病人や新地阿附自由者の体を乗降する介護作業可能な高さまで揚重装置１０を作動させ呈した側面図です。両手で介護作業を行うので、優しく介護できて、作業時間も短いので苦痛や圧迫感も少ない。
図１２は、病人や身体不自由者の体の上半身を吊りベルト６、６（又は７，７でも良い）に乗せて、吊りベルト６，６両端環状部２３，２４を揚重装置１０に吊り下げられた吊り下げ支持具２両端フック２０，２１に掛け止めて、介護リフト１の揚重装置１０を作動させ吊り下げ支持具が連動して介護作業可能な高さまで上半身を吊り上げ停止して空間部３２形成した姿を左側から見た側面図。図１３は吊りベルト６，６を配置し、吊りベルト６，６に上半身を乗せた平面図で、図１２でベッドの配置の実施例の一例を説明する。吊りベルト６，６２本を腰下部３６と肩甲骨３８の下に配置する作業手順は、布団シーツ４３と身体不自由者の背中３９の間に左側から片手を開いて差し込み、手の厚さ（５ｃｍ位）で形成された空間部３２を肩甲骨３８の下に形成した空間部３２とその手に沿って、前もって吊りベルト６１本の環状部２３に嵌着した通し具２８の取っ手３１をもう一方の片手でつかんで吊りベルト６を身体不自由者の左側から右側に貫通させてから、通し具２８を引き抜き吊りベルト中央の位置に体が乗るように吊りベルト６を配置してから通し具２８を引き抜き、吊りベルト６，６の２本が配置されて図１３のように体の重さで体吊りベルト６，６に乗せられる。図１２のようにしてから看護人は両手で下着を脱がしたりおむつを外したりして下半身を洗ったり拭いたりする作業、差し込み便器の使用作業後に下着を穿かせる、又はおむつをつける作業、背中３９やお尻３７や両腕を拭く作業を行うので、優しく介護作業も短い時間で終えるから苦痛や圧迫も少ない。
吊りベルト６，６を外すためには、体を載せた作業手順の逆手順で吊りベルト６，６の２本が体のしたから引き抜かれる。【００２４】  図１３は、吊りベルト６、６の二本を腰下部３６と肩甲骨３８に配置した平面図で、図は片手を開いて差し込む位置は肩甲骨３８と腰下部３６の中央位置の横から体の中央に向かって手を差し込んでから、通し具２８の先端２９に嵌着した吊りベルト６を湾曲部分で、もう一方の片手で押して貫通してから通し具２８を吊りベルト６から外して引きぬき、吊りベルト６の中央部分が体の中心で腰下部に配置した後で、もう一方の吊りベルト６を同じ作業手順で肩甲骨３８の下に配置されてから差し込んでいた手を引きぬいた図です。【００２５】  図１４は、吊りベルト６，６の２本で図１２のように吊り上げ、布団の横に並べて使用する介護浴槽を使用する実施例の一例で、図は介護浴槽９に入浴した姿を左側正面から見た側面図で図面で説明する。布団の上でおむつ交換や体を洗ったり拭いたり、普通の人のように時々入浴させるためにやってあげる。
図１４は、天井走行式介護リフト１を使用した場合の説明です。前記の図１２のように吊りベルト６，６の２本で上半身を布団から布団の横に並べた介護浴槽９の上に移動してから、湯枕２２に頭４４を乗せて、介護浴槽下端１５に当接しないように体を少し浮かせた状態で胸やお腹が湯面２６と同じくらいで体を洗ってから、お湯を一回捨ててから新しい湯を浴槽に入れて体を温めてから浴槽上端２７より３０ｃｍ位高く吊り上げ停止して全身をタオルで拭いてから、布団シーツ４３の上に１枚のシーツを敷いて、その上に一度全身を降ろして全身と吊りベルト６，６の間から優しく余分な水分をタオルでふき取って再び吊り上げ、布団シーツ４３の上に敷いたシーツを外してから、布団シーツ４３の上に全身を降ろしてから、吊りベルト６，６の２本を外すには、体を乗せた作業手順の逆手順で吊りベルト６，６の２本が体の下から引き抜かれる。【００２６】  図１２のように上半身を介護作業可能な高さまで吊り上げ停止してできる介護作業の実施例の一例として、肌着や上着や洋服や和服の交換と着付けの作業手順を図１２を使用して説明する。
寝ている人に肌着や洋服や和服を着付けするには、図１２のように上半身を枕４０より高く吊り上げ停止して枕４０を座布団などで高くしてから上半身の下に又は全身の下に肌着や前開きの衣類（和服、洋服）のボタンや紐や帯を解いて、その後その衣類を開いて全身が乗る位置にしてから、その衣類の上に介護リフト１の揚重装置１０を作動させて全身を乗せてから開いた衣類と身体不自由者の背中３９の間に左側から片手を開いて差し込み、手の厚さ（５ｃｍ）で形成された空間部３２を肩甲骨３８の下に形成し、形成した空間部３２とその手に沿って、吊りベルト６が肩甲骨３８の下からもう一方の片手で引き抜かれ、同じ作業手順で腰下部３６の下からも吊りベルト６が引き抜かれてから、肌着や前開きの衣類（和服や洋服）のボタンを掛け、紐を結んで、帯を締めてから、再び身体不自由者の背中の衣類と布団シーツ４３の間に左側から片手を開いて差し込み手の厚さ（５ｃｍ）で形成された空間部３２を肩甲骨３８の下に形成し、形成した空間部３２とその手に沿って前回と同じように吊りベルト６の１本の環状部２３に嵌着した通し具２８の取っ手３１をもう一方の片手でつかんで吊りベルト６を身体不自由者の左側から右側に貫通させてから通し具２８を引き抜き、吊りベルト中央位置に体が乗るように配置する。同じ作業手順で身体不自由者の腰下部の衣類の下にも体が乗るように吊りベルト６を配置してから通し具２８を引き抜き、吊りベルト６，６の２本が配置されて図１３のように、体の重さで体がベルトの上に乗せられる。再び吊りベルト６，６の両端環状部２３，２４は、吊り下げ支持具２両端フック２０，２１に掛け止めて、介護リフト１の揚重装置１０の作業で車椅子に移乗可能となる。病人や身体不自由者の着ている衣類の交換手順は、この衣類をつけた作業手順の逆手順で行われる。【００２７】  図１５は、筋力の丈夫な病人や身体不自由者を吊りベルト６，６と，７本の３本の吊りベルト使用の介護作業の実施例の一例で、図面は吊りベルト３本で布団から車椅子へ移乗するために吊り上げた姿を左側正面から見た側面図で、図で作業手順を説明する。図１２の姿のように、布団シーツ４３と背中３９の間に左側から片手を開いて差し込み、手の厚さ（５ｃｍ）で形成された空間部を背中３９に形成し、形成した空間部３２とその手に沿って、前もって吊りベルト７の１本の環状部２３に嵌着した通し具２８の取っ手３１をもう一方の片手でつかんで吊りベルトを身体不自由者の左側から右側に貫通させてから、通し具２８を引き抜き、吊りベルト７中央位置に体が乗るように吊りベルト７を配置する。同じ作業手順でお尻３７が乗るように吊りベルト６の１本を配置してから、腰下部３６から吊りベルト６の１本を腰下部３６に配置し、吊りベルト６、６と７の長さを２：１位の差に調整してから吊りベルト６、６、７、７両端環状部２３、２４吊り下げ支持具２両端フック２０，２１に掛け止めして、介護リフト１の揚重装置１０を作動しながら吊りベルト６、６、７、７の張り具合を見ながら、吊り上げる途中で吊りベルト７の長さを再び調整して、腰掛ける体勢で車椅子に移乗して、室内の便所で排泄や浴室の浴槽で入浴や、車の座席に座って病院に通うこともできる。
吊りベルト６、６、７の３本の吊りベルトを配置するには、体力と腕力のある看護人は身体不由者の体を横に転がし、又は、抱きかかえて横に移動してから元の位置に配置しても良い。【００２８】  足を垂らして移動できない人、又は、筋力が弱く吊りベルトでは移動が無理な人の場合、座面シート４と背もたれシート５が一体化した長方形のシート３３が使用されるこの発明の畚の実施例の一例を図２で示した平面図で説明する。長方形の一枚のシートの座部左右両側には、下半身を支えるお尻３７と両足４１のかかとまで、又は、お尻３７と両足のふくらはぎまで乗せるように、上半身は頭４４までを乗せるように形成したシート３３の前端３４と後端３５の両側前後に吊りベルト６，６と７，７がループ上に取り付け可能とするために、裏面に雄型締結具１６が取り付けられている。長方形のシート３３に病人や身体不自由者の体を乗せて移動するには、前記明細書［００２３］で説明した作業手順で介護リフト１を使用して、上半身を吊りベルト６、６又は７，７の２本に乗せて布団シーツ４３の間に５ｃｍくらいの空間部３２が形成されたら停止して、形成された空間部３２にシート３３を通し具２８で押し込んで体の下に配置し、揚重装置１０の作動でシート３３に吊りベルト２本に乗せていた体がそのまま乗せられる。吊りベルト６、６又は７，７の両端環状部２３，２４は吊り下げ支持具２両端フック２０，２１から外されてから、そのベルト２本はそれぞれシート３３とお尻３７の間と、シート３３と背中の間に片手を開いて差し込み、空間部３２を形成し、その空間部３２に沿ってもう一方の片手でベルトが病人や身体不自由者の体に苦痛や圧迫感も少なく引き抜ける。
引き抜かれたベルトと共に吊りベルトと共に吊りベルト６，６は座部左右両側に吊りベルト７，７は後端３５の左右両側にはそれぞれの雌型締結具１７が嵌着されて吊りベルト６，６，７，７は、ループ上に取り付けられ両足を伸ばして座った体勢や寝ている体勢に吊りベルト６、６、７、７の長さを調整して、吊りベルト６、６、７、７の両端環状部２３，２４が吊り下げ支持具２両端フック２０，２１に掛け止めて、揚重装置１０の作動で布団から吊り上げられた体はストレッチャーや車椅子に移乗し、そのまま移動して浴室の浴槽で入浴介護や自動車の座席に乗降する移動介護や布団の上で使用する介護浴槽にて、体お洗う入浴介護作業可能となる。布団の上に帰ってからシート３３を外す作業には、これまでの作業手順の逆手順で行われる。
看護人が体力と腕力のある場合には、シート３３の両側に吊りベルト６、６、７、７を嵌着して病人や身体不自由者の体を抱きかかえて横に移す、又は横に転がして元の位置に吊りベルト６、６、７、７を嵌着したシート３３を配置して、その上に抱きかかえて体を移す又は転がしてシートの上に乗せても良い。【００２９】  図１６は図１で示した畚３を使用して病人や身体不自由者の体を車椅子に乗せるために、布団から吊り上げ斜視図で図１５を使用する介護者は両足４６，４８を垂らして腰掛けできる人に使用される。図１６のような体勢に吊り上げるには、前記の明細書［００２５］の作業手順で吊りベルト６，６（又は７，７）の２本で上半身を吊り上げ停止して上半身と布団シーツ４３の空間部３２で座面シート４でお尻３７を包むように座中穴１１の開き口１２が膝下４２付近に到達するように配置し、背もたれシート５は頭４４の上はしに到達してから伸ばして背中３９まで達するように配置してから揚重装置１０を作動して座面シート４と背もたれシート５に吊り上げていた上半身を乗せてから吊り下げ支持具２両端フック２０，２１から吊りベルト６，６の両端環状部２３，２４を外して前記の明細書［００２５］の作業手順で背もたれシート５と座面シート４と上半身の間から吊りベルト６，６を引き抜き座面シート４の両端前後と背もたれシート５の両側前後の雄型締結具１６と吊りベルト６、６、７、７の雌型締結具１７を嵌着し、座面シート４と背もたれシート５両側には吊りベルト６、６、７、７がループ上に連結され、座面シート４後端３５と背もたれシート５前端３４の雄型締結具１６と連接ベルト８，８の雌型締結具１７を嵌着し、連接ベルトは強く張ってから、ループ上の吊りベルト６、６、７、７を吊り下げ支持具２両端フック２０，２１に掛け止めて、背もたれシート５に連結した吊りベルト６、６、７、７の長さを調整して、腰掛け体勢にして吊り上げられる。
車椅子に移乗してから室内の便所では座中穴１１を応用して排泄介護では座面シート４を外すことなく可能となり、浴室の介護入浴では体を洗いやすくし、車椅子から自動車の座席に座っても健常者と同じ乗り心地で座席に座っていられる。シート４，５を布団の上で外すには、これまでの作業手順の逆手順で行われる。看護人が体力と腕力のある場合、病人や身体不自由者の体を抱きかかえて横に移動するか、横に動かして元の位置にシート４，５を配置してその上に抱きかかえて、又は、転がしてシートの上に乗せても良い。【００３０】  リクライニングベッドを使用する人の布団の上で介護作業はベッドの起動部分を作動させて、吊りベルト６、６や、７、７を差し込み行うので作業が楽になります。
この発明の吊りベルトで大部分の介護作業が可能となりますが、体力と腕力のある看護人は病人や身体不自由者の体に苦痛や圧迫がない人の場合は、従来のように横に転がし、又は抱きかかえて横に移動してベルトを配置してから吊り上げた作業手順が良い場合もあるからどちらの方法でも良い。
【図面の簡単な説明】
【００３１】
【図１】  分解斜視図
【図２】  シート３３の平面図
【図３】  シート４７の平面図
【図４】  吊りベルト６，６，７，７の斜視図
【図５】  連接ベルトの斜視図
【図６】  雄型連結具１６と雌型締結具の斜視図
【図７】  座面シートの使用手順の説明図
【図８】  通し具の平面図
【図９】  平面図での背もたれシートの使用手順の説明図
【図１０】  吊りベルト一本使用時の介護作業の手順を説明する側面図
【図１１】  吊りベルト一本を腰下部３６に配置した平面図
【図１２】  吊りベルト二本使用時の介護作業の手順を説明する側面図
【図１３】  吊りベルト二本使用時を上半身の下に配置した平面図
【図１４】  介護浴槽使用時の作業手順の説明図
【図１５】  吊りベルト三本使用時の介護作業の手順を説明する側面図
【図１６】  シート４，５で吊り上げた斜視図
【符号の説明】
【００３２】１      介護リフト
２      吊り下げ支持具
３      畚
４      座面シート
５      背もたれシート
６，６  座面シートの吊りベルト
７，７  背もたれシートの吊りベルト
８，８  連接ベルト
９      介護浴槽
１０    揚重装置
１１    座中穴
１２    開き口
１３    雄型締結具
１４    雌型締結具
１５    雄型締結具の先端
１６    雄締結具
１７    雌締結具
１８    雄型締結具の取り付け部
１９    雌型締結具の取り付け部
２０    吊り下げ支持具のフック
２１    吊り下げ支持具のフック
２２    雄型締結具の外側
２３    吊りベルトの環状部
２４    吊りベルトの環状部
２５    ベルト調整具
２６    浴槽湯面
２７    浴槽上端
２８    通し具
２９    通し具先端
３０    通し具支柱
３１    取っ手
３２    空間部
３３    長方形シート
３４    背もたれシート前端
３５    背もたれシート後端
３６    脚部
３７    お尻
３８    肩甲骨
３９    背中
４０    枕
４１    湯枕
４２    膝下
４３    布団のシーツ
４４    頭
４５    ふくらはぎ
４６    左足
４７    足分離式のシート
４８    右足
４９    床
【図１】
2010188098.tif 000003
【図２】
2010188098.tif 000004
【図３】
2010188098.tif 000005
【図４】
2010188098.tif 000006
【図５】
2010188098.tif 000007
【図６】
2010188098.tif 000008
【図７】
2010188098.tif 000009
【図８】
2010188098.tif 000010
【図９】
2010188098.tif 000011
【図１０】
2010188098.tif 000012
【図１１】
2010188098.tif 000013
【図１２】
2010188098.tif 000014
【図１３】
2010188098.tif 000015
【図１４】
2010188098.tif 000016
【図１５】
2010188098.tif 000017
【図１６】
2010188098.tif 000018